(57)【特許請求の範囲】
【請求項１】
複数のグループのいずれかに属して記録情報を送信する複数の情報送信装置、前記情報送信装置と通信可能に接続される負荷分散装置、前記負荷分散装置と通信可能に接続される複数の情報処理装置、およびこの情報処理装置と通信可能に接続されて前記記録情報を記録する複数の情報記録装置をさらに有する情報処理システムであって、
前記情報送信装置は、
前記記録情報を前記負荷分散装置に送信する送信手段を備え、
前記負荷分散装置は、
前記情報送信装置が送信した記録情報を受信する受信手段と、
前記受信手段により受信した記録情報の送信元の前記情報送信装置が属するグループを判別するグループ判別手段と、
前記受信手段により受信した情報について前記グループ判別手段が判別したグループと同じグループに属する他の情報送信装置からの記録情報を、前記情報処理装置のいずれかにより前記情報記録装置へ記録処理中であるか否かを判別する処理判別手段と、
前記記録処理中であると前記処理判別手段が判別した場合に、前記受信手段により受信した記録情報を前記記録処理中の前記情報処理装置に送信し、前記記録処理中でないと前記処理判別手段が判別した場合に、前記受信手段により受信した記録情報を前記情報処理装置のうち負荷が最小である装置に送信する送信手段と
を備え、
前記情報処理装置は、
前記負荷分散装置から送信された前記記録情報を受信する受信手段と、
前記受信手段により受信した記録情報の送信元の前記情報送信装置が属するグループを判別するグループ判別手段と、
前記受信手段により受信した情報について前記グループ判別手段が判別したグループと同じグループに属する他の情報送信装置からの記録情報を前記情報記録装置が記録処理中であるか否かを判別する処理判別手段と、
前記記録処理中であると前記処理判別手段が判別した場合に、前記受信手段により受信した記録情報を前記記録情報の記録処理中の情報記録装置に記録し、前記記録処理中でないと前記処理判別手段が判別した場合に、前記受信手段により受信した記録情報を前記情報記録装置のうち負荷が最小である装置に記録する記録制御手段とを備えた
ことを特徴とする情報処理システム。
【請求項２】
前記情報処理装置は、
自装置の処理負荷を判別する負荷状態判別手段と、
この判別した処理負荷を示す負荷情報を前記負荷分散装置に通知する通知手段と
をさらに備え、
前記負荷分散装置の送信手段は、前記情報処理装置の通知手段により通知された処理負荷が最小である情報処理装置に前記記録情報を送信する
ことを特徴とする請求項１に記載の情報処理システム。
【請求項３】
前記情報処理装置は、
前記情報記録装置の処理負荷を判別する負荷状態判別手段をさらに備え
前記情報処理装置の記録制御手段は、前記負荷状態判別手段により判別した処理負荷が最小である情報記録装置に前記記録情報を記録する
ことを特徴とする請求項１に記載の情報処理システム。
【請求項４】
前記情報送信装置の前記送信手段は、前記記録情報を送信する際に自装置に固有の装置識別情報をさらに送信し、
前記負荷分散装置の受信手段は、前記識別情報をさらに受信し、
前記負荷分散装置は、
前記情報送信装置のそれぞれの前記装置識別情報、および当該情報送信装置が属するそれぞれのグループの識別情報を関連付けて管理する管理手段をさらに備え、
前記負荷分散装置の前記グループ判別手段は、前記受信手段により受信した記録情報の送信元の前記情報送信装置が属するグループを、前記受信手段により受信した識別情報および前記管理手段により管理される情報をもとに判別する
ことを特徴とする請求項１に記載の情報処理システム。
【発明の詳細な説明】
【技術分野】
【０００１】
本発明は、複数の装置から送信された情報を他の装置に送信する情報処理システムに関する。
【背景技術】
【０００２】
従来、複数の装置からの情報を収集および蓄積するために、複数の送信装置と複数の受信装置との間で情報通信を行うシステムがある（例えば特許文献１参照）。
このようなシステムでは、単一の受信装置への負荷集中を避けるために、送信装置と受信装置の間に中継用の装置を設け、この装置は、複数の受信装置のうち、処理量が最小の装置に送信装置からの情報を送信する。
【０００３】
【特許文献１】特開平６−３２６７３４号公報
【発明の開示】
【発明が解決しようとする課題】
【０００４】
前述したシステムの受信装置は、送信装置からの情報を受信した場合に、この受信した情報を外部のメモリ装置などの別の装置に書き込む場合がある。前述したシステムでは、受信装置による情報の受信にかかる処理負荷を低減することが可能となるが、情報の書き込みにかかる処理負荷のためにシステム全体の処理負荷が高くなった場合でも、これを低減することはできない。
【０００５】
例えば、中継用の装置と受信装置との間の伝送速度に対して、受信装置からメモリ装置への情報の書き込みに要する速度が低い場合には、情報の受信処理が受信装置により滞りなくなされた場合でも、受信装置とメモリ装置との間の複数回のアクセスが必要な場合にはシステム全体の処理効率は悪い。
【０００６】
また、前述したシステムにおいて、受信装置が送信装置からの情報を受信するにとどまらず、送信装置からの情報が例えばセンサの検出値である場合に、受信装置による受信後に、当該受信済みの情報をもとにした計算を別途行なう場合がある。
前述したシステムでは、受信装置による情報の受信にかかる処理負荷を低減することが可能となるが、一計算に必要な情報が複数の送信装置のそれぞれから送信された場合の受信先の装置が分散されてしまうので、これらの情報をもとに前述した計算をシステム内で行う場合、当該計算用の装置は、それぞれの分散された装置から計算用の情報を取得しなければならない。よって、計算用の装置による計算処理にかかる効率が受信先の装置の分散を行わない場合と比較して悪くなるので、システム全体からみた処理効率が悪い。
【０００７】
そこで、本発明の目的は、複数の送信装置を有するシステムにおいて、システム全体からみた処理負荷を低減することが可能になる情報処理システムを提供することにある。
【課題を解決するための手段】
【０００８】
すなわち、本発明に係わる情報処理システムは、複数のグループのいずれかに属して記録情報を送信する複数の情報送信装置、情報送信装置と通信可能に接続される負荷分散装置、負荷分散装置と通信可能に接続される複数の情報処理装置、およびこの情報処理装置と通信可能に接続されて記録情報を記録する複数の情報記録装置をさらに有する情報処理システムであって、情報送信装置は、記録情報を負荷分散装置に送信する送信手段を備え、負荷分散装置は、情報送信装置が送信した記録情報を受信する受信手段と、受信手段により受信した記録情報の送信元の情報送信装置が属するグループを判別するグループ判別手段と、受信手段により受信した情報についてグループ判別手段が判別したグループと同じグループに属する他の情報送信装置からの記録情報の、情報処理装置のいずれかによる情報記録装置への記録処理中であるか否かを判別する処理判別手段と、記録処理中であると処理判別手段が判別した場合に、受信手段により受信した記録情報を記録処理中の情報処理装置に送信し、記録処理中でないと処理判別手段が判別した場合に、受信手段により受信した記録情報を情報処理装置のうち負荷が最小である装置に送信する送信手段とを備え、情報処理装置は、負荷分散装置から送信された記録情報を受信する受信手段と、受信手段により受信した記録情報の送信元の情報送信装置が属するグループを判別するグループ判別手段と、受信手段により受信した情報についてグループ判別手段が判別したグループと同じグループに属する他の情報送信装置からの記録情報を情報記録装置が記録処理中であるか否かを判別する処理判別手段と、記録処理中であると処理判別手段が判別した場合に、受信手段により受信した記録情報を記録情報の記録先の情報記録装置に記録し、記録処理中でないと処理判別手段が判別した場合に、受信手段により受信した記録情報を情報記録装置のうち負荷が最小である装置に記録する処理装置からの記録情報を記憶することを特徴とする。
【発明の効果】
【０００９】
本発明によれば、複数の送信装置を有する情報処理システムにおいて、システム全体からみた処理負荷を低減することができる。
【発明を実施するための最良の形態】
【００１０】
以下図面により本発明の実施形態について説明する。  
図１は、本発明の実施形態にしたがった情報処理システムの構成例を示すブロック図である。
図１に示すように、本発明の実施形態にしたがった情報処理システムは、複数台の情報送信装置１、単一の負荷分散装置２、複数台の情報処理装置３、複数台の情報記録装置４を有する。
【００１１】
情報送信装置１のそれぞれは負荷分散装置２と通信可能に接続される。ここでは、情報送信装置１はセンサ端末装置である。負荷分散装置２は情報処理装置３のそれぞれと通信可能に接続され、これらの情報処理装置３は複数の情報記録装置４のそれぞれと通信可能に接続される。
【００１２】
情報送信装置１と負荷分散装置２の間の通信路は、当該情報送信装置１が情報の送信開始とともに確立され、当該送信が終了した場合に閉じられる。  
また、負荷分散装置２と情報処理装置３の間の通信路は、当該情報処理装置３が負荷分散装置２からの情報の処理開始とともに確立され、当該処理が終了した場合に閉じられる。また、情報処理装置３と情報記録装置４の間の通信路は、当該情報処理装置３が情報記録装置４への情報の記録処理開始ともに確立され、当該処理が終了した場合に閉じられる。
【００１３】
本実施形態では、情報送信装置１はセンサ検出結果を示すセンサ検出情報の送信装置である。情報送信装置１のそれぞれは、予め区分された複数のグループのいずれかに属する。
負荷分散装置２はこのセンサ検出情報を情報処理装置３に送信する。情報処理装置３は、負荷分散装置２からのセンサ検出情報を情報記録装置４へ送信する。情報記録装置４は、例えばハードディスクなどの記憶媒体であり、情報処理装置３からのセンサ検出情報を記憶する。
【００１４】
図２は、本発明の実施形態にしたがった情報処理システムの情報送信装置の構成例を示すブロック図である。  
図２に示すように、本発明の実施形態にしたがった情報処理システムの情報送信装置１は、装置全体の処理動作を司る制御部１１、ハードディスクなどの記憶媒体である記憶装置１２、通信インタフェース１３および検出処理部１４を備え、それぞれがバス１５を介して相互に接続される。
【００１５】
通信インタフェース１３は負荷分散装置２への情報の送信を行なう。  
検出処理部１４は、センサ検出情報を出力する。記憶装置１２には、制御部１１による制御用プログラムの他、自装置に固有の装置識別情報である送信装置ＩＤが記憶される。
【００１６】
図３は、本発明の実施形態にしたがった情報処理システムの負荷分散装置の構成例を示すブロック図である。  
図３に示すように、本発明の実施形態にしたがった情報処理システムの負荷分散装置２は、装置全体の処理動作を司る制御部２１、ハードディスクなどの記憶媒体である記憶装置２２、通信インタフェース２３、処理状態判別部２４、選択処理部２５を備え、それぞれがバス２６を介して相互に接続される。
【００１７】
記憶装置２２は、制御部２１、処理状態判別部２４、選択処理部２５による制御用プログラムの他、情報送信装置１が属するグループの識別情報を管理するためのグループ情報テーブルを記憶する。
図４は、本発明の実施形態にしたがった情報処理システムの負荷分散装置の記憶装置に記憶されるグループ情報テーブルの構成例を表形式で示す図である。  
図４に示したグループ情報テーブル上のグループ名は、送信装置ＩＤに対応する情報送信装置１のそれぞれが属するグループの識別情報である。
【００１８】
また、記憶装置２２は、情報処理装置３が処理中のセンサ検出情報の送信元の情報送信装置１が属するグループ名を管理するための処理情報テーブルを記憶する。
図５は、本発明の実施形態にしたがった情報処理システムの負荷分散装置の記憶装置に記憶される処理情報テーブルの構成例を表形式で示す図である。  
図５に示した処理情報テーブル上の処理装置ＩＤは、それぞれの情報処理装置３に固有の装置識別情報であり、処理情報テーブル上の送信元グループ名は、情報処理装置３により記録処理中のセンサ検出情報の送信元の情報送信装置１が属するグループの識別情報である。また、制御部２１は、負荷分散装置２との間の通信路が閉じられた情報処理装置３の処理装置ＩＤに対応する送信元グループ名は処理情報テーブルから削除する。
【００１９】
通信インタフェース２３は、情報送信装置１や情報処理装置３との間の送受信処理を行なう。  
また、処理状態判別部２４は、情報送信装置１からのセンサ検出情報を通信インタフェース２３が新たに受信した際に、この送信元の情報送信装置１の属するグループと同じグループに属する情報送信装置１からの別のセンサ検出情報を、情報処理装置３のいずれかが情報記録装置４への記録処理中であるか否かを判別する。  
選択処理部２５は、処理状態判別部２４による判別結果をもとに、情報処理装置３のうちいずれかを情報送信装置１からのセンサ検出情報の送信先として選択する。
【００２０】
図６は、本発明の実施形態にしたがった情報処理システムの情報処理装置の構成例を示すブロック図である。  
図６に示すように、本発明の実施形態にしたがった情報処理システムの情報処理装置３は、装置全体の処理動作を司る制御部３１、ハードディスクなどの記憶媒体である記憶装置３２、通信インタフェース３３、負荷状態判別部３４、選択処理部３５および処理状態判別部３６を備え、それぞれがバス３７を介して相互に接続される。
【００２１】
記憶装置３２は、制御部３１、負荷状態判別部３４、選択処理部３５および処理状態判別部３６による制御用プログラムを記憶する他、自装置の識別情報である処理装置ＩＤを記録する。
また、記憶装置３２は、情報記録装置４に記録中のセンサ検出情報の送信元の情報送信装置１が属するグループ名を管理するための記録情報テーブルを記憶する。
【００２２】
図７は、本発明の実施形態にしたがった情報処理システムの情報処理装置の記憶装置に記憶される記録情報テーブルの構成例を表形式で示す図である。  
図７に示した記録情報テーブル上の記録装置ＩＤは、それぞれの情報記録装置４に固有の装置識別情報であり、記録情報テーブル上の送信元グループ名は、記録処理中であるセンサ検出情報の送信元の情報送信装置１が属するグループの識別情報である。また、制御部３１は、自装置との間の通信路が閉じられた情報記録装置４の記録装置ＩＤに対応する送信元グループ名は記録情報テーブルから削除する。
【００２３】
通信インタフェース３３は、負荷分散装置２や情報記録装置４との間の送受信処理を行なう。  
負荷状態判別部３４は、負荷分散装置２からのセンサ検出情報を通信インタフェース３３が受信した際に、自装置の処理負荷を判別する。また、負荷状態判別部３４は、情報記録装置４のそれぞれの処理負荷を判別する。
【００２４】
また、処理状態判別部３６は、負荷分散装置２からのセンサ検出情報を通信インタフェース３３が新たに受信した際に、この送信元の情報送信装置１の属するグループと同じグループに属する情報送信装置１からの別のセンサ検出情報の、自装置による情報記録装置４への記録処理中であるか否かを判別する。
【００２５】
選択処理部３５は、処理状態判別部３６による判別結果や負荷状態判別部３４による判別結果をもとに、情報記録装置４のうちいずれかを負荷分散装置２からのセンサ検出情報の記録先として選択する。
次に、図１に示した構成の情報処理システムの動作について説明する。
【００２６】
図８は、本発明の実施形態にしたがった情報処理システムの処理動作の一例を示すフローチャートである。
まず、情報送信装置１の検出処理部１４がセンサ検出情報を出力すると、制御部１１は、この情報および記憶装置１２に記憶される送信装置ＩＤを通信インタフェース１３を介して負荷分散装置２へ送信する（ステップＳ１）。
【００２７】
負荷分散装置２の通信インタフェース２３が情報送信装置１からの情報を受信すると（ステップＳ２）、制御部２１は、受信済みのセンサ検出情報を記憶装置２２に記憶するとともに、受信済みの送信装置ＩＤと記憶装置２２に記憶されるグループ情報テーブルとを照合することで、センサ検出情報の送信元の情報送信装置１が属するグループ名を認識する（ステップＳ３）。
【００２８】
例えば、受信された送信装置ＩＤが「００１」であって、このＩＤ「００１」とグループ情報テーブル上で関連付けられるグループ名が「Ａ」である場合には、センサ検出情報の送信元の情報送信装置１が属するグループ名は「Ａ」となる。
また、処理状態判別部２４は、ステップＳ３の処理で認識したグループ名と記憶装置２２に記憶される処理情報テーブルとを照合することで、ステップＳ２の処理で受信したセンサ検出情報の送信元の情報送信装置１の属するグループと同じグループに属する情報送信装置１からの別のセンサ検出情報を、情報処理装置３のいずれかが情報記録装置４への記録処理中であるか否かを判別する（ステップＳ４）。
【００２９】
例えば、ステップＳ３の処理で認識したグループ名が「Ａ」であって、このグループ名が、処理情報テーブル上の送信元グループ名として存在すれば、ステップＳ２の処理で受信したセンサ検出情報の送信元の情報送信装置１の属するグループと同じグループに属する情報送信装置１からの別のセンサ検出情報を、情報処理装置３のいずれかが情報記録装置４への記録処理中であることを意味する。
【００３０】
また、ステップＳ３の処理で認識したグループ名が「Ａ」であって、このグループ名が、処理情報テーブル上の送信元グループ名として存在していなければ、ステップＳ２の処理で受信したセンサ検出情報の送信元の情報送信装置１の属するグループと同じグループに属する情報送信装置１からの別のセンサ検出情報を、情報処理装置３のいずれもが情報記録装置４への記録処理中でないことを意味する。
【００３１】
処理状態判別部２４がステップＳ４の処理で「ＮＯ」と判別した場合には、選択処理部２５は、処理負荷情報の送信要求信号を通信インタフェース２３を介してそれぞれの情報処理装置３に送信する。
情報処理装置３の通信インタフェース３３が負荷分散装置２からの送信要求信号を受信すると、負荷状態判別部３４は、自装置の処理負荷の値を示す処理負荷情報を記憶装置３２に記憶される処理装置ＩＤとともに通信インタフェース３３を介して負荷分散装置２へ送信する。
【００３２】
負荷分散装置２の通信インタフェース２３がそれぞれの情報処理装置３からの処理負荷情報を受信すると、選択処理部２５は、それぞれの処理負荷の値を比較することで、複数の情報処理装置３のうち処理負荷が最も少ない装置の処理装置ＩＤを、情報送信装置１から受信済みの情報の送信先の装置の処理装置ＩＤとして選択する（ステップＳ６）。
【００３３】
一方、処理状態判別部２４がステップＳ４の処理で「ＹＥＳ」と判別した場合には、選択処理部２５は、ステップＳ３の処理で認識したグループ名に処理情報テーブル上で関連付けられる処理装置ＩＤを、情報送信装置１から受信済みのセンサ検出情報の送信先の情報処理装置３の処理装置ＩＤとして選択する（ステップＳ５）。
【００３４】
選択処理部２５は、ステップＳ５またはＳ６の処理で選択した処理装置ＩＤに対応する情報処理装置３とステップＳ１の処理による情報送信元の情報送信装置１との通信路を確立し、当該通信路を確立した情報処理装置３の処理装置ＩＤを記憶装置２２に記憶される処理情報テーブルから検出し、この処理装置ＩＤに対する送信元グループ名に、ステップＳ３の処理で認識したグループ名を反映させる。
【００３５】
そして、選択処理部２５は、ステップＳ２の処理で受信したセンサ検出情報を記憶装置２２から読み出して、この情報にステップＳ３の処理で認識したグループ名を合わせた情報を、通信インタフェース２３を介し、ステップＳ５またはＳ６の処理で選択した情報処理装置３に送信する（ステップＳ７）。
【００３６】
情報処理装置３の通信インタフェース３３が負荷分散装置２からの情報を受信すると（ステップＳ８）、制御部３１は、受信済みのセンサ検出情報を記憶装置３２に記憶するとともに、受信済みのグループ名、つまり、センサ検出情報の送信元の情報送信装置１が属するグループ名を認識する（ステップＳ９）。
【００３７】
そして、処理状態判別部３６は、ステップＳ８の処理で受信したグループ名と記憶装置３２に記憶される記録情報テーブルとを照合することで、送信元の情報送信装置１の属するグループと同じグループに属する情報送信装置１からの別のセンサ検出情報を、自装置が情報記録装置４への記録処理中であるか否かを判別する（ステップＳ１０）。
【００３８】
例えば、ステップＳ９の処理で認識したグループ名が「Ａ」であって、このグループ名が、記録情報テーブル上の送信元グループ名として存在すれば、ステップＳ８の処理で受信したセンサ検出情報の送信元の情報送信装置１の属するグループと同じグループに属する情報送信装置１からの別のセンサ検出情報を、自装置が情報記録装置４への記録処理中であることを意味する。
【００３９】
例えば、ステップＳ９の処理で認識したグループ名が「Ａ」であって、このグループ名が、記録情報テーブル上の送信元グループ名として存在していなければ、ステップＳ８の処理で受信したセンサ検出情報の送信元の情報送信装置１の属するグループと同じグループに属する情報送信装置１からの別のセンサ検出情報を、自装置が情報記録装置４への記録処理中でないことを意味する。
【００４０】
処理状態判別部３６がステップＳ１０の処理で「ＮＯ」と判別した場合には、負荷状態判別部３４は、それぞれの情報記録装置４にアクセスすることで各装置の処理負荷を認識し、それぞれの処理負荷の値を比較することで、複数の情報記録装置４のうち処理負荷が最も少ない装置の記録装置ＩＤを、情報送信装置１から受信済みのセンサ検出情報の記録先の装置の記録装置ＩＤとして選択する（ステップＳ１２）。
【００４１】
一方、処理状態判別部３６がステップＳ１０の処理で「ＹＥＳ」と判別した場合には、選択処理部３５は、ステップＳ８の処理で受信したグループ名に対応するグループと同じグループに属する情報記録装置４の記録装置ＩＤを、情報送信装置１から受信済みの情報の記録先の装置の記録装置ＩＤとして選択する（ステップＳ１１）。
【００４２】
選択処理部３５は、ステップＳ１１またはＳ１２の処理で選択した記録装置ＩＤに対応する情報記録装置４との通信路を確立し、当該通信路を確立した情報記録装置４の記録装置ＩＤを記憶装置３２に記憶される記録情報テーブルから検出し、この記録装置ＩＤに対する送信元グループ名に、ステップＳ９の処理で認識したグループ名を反映させる。
【００４３】
選択処理部２５は、ステップＳ８の処理で受信したセンサ検出情報を記憶装置３２から読み出して通信インタフェース３３を介し、ステップＳ１１またはＳ１２の処理で選択した記録装置ＩＤに対応する情報記録装置４の情報記憶エリアに記憶する（ステップＳ１３）。
【００４４】
以上のように、本発明の実施形態にしたがった情報通信システムでは、負荷分散装置２は、情報送信装置１からのセンサ検出情報を受信し、この情報の送信元の情報送信装置１が属するグループと同じグループの情報送信装置１からの別の情報を情報処理装置３のいずれかが処理中である場合には、受信した情報を同じ情報処理装置３に送信し、処理中でない場合には、負荷が最小の情報処理装置３に受信済みの情報を送信する。また、情報処理装置３は、負荷分散装置２からの情報を受信し、この情報の送信元の情報送信装置１が属するグループと同じグループの情報送信装置１からの別の情報を自装置が情報記録装置４に記録中である場合には、受信した情報を同じ情報記録装置４に送信し、処理中でない場合には、負荷が最小の情報記録装置４に受信済みの情報を送信する。
【００４５】
よって、情報送信装置１からの情報の受信にかかる処理負荷を分散できるばかりでなく、この受信済みの情報の情報記録装置４への記録にかかる処理負荷を分散できるので、システム全体の処理効率が向上する。
加えて、同一グループに属する複数の情報送信装置１からのセンサ検出情報のそれぞれを同じ情報処理装置３で受信したり同じ情報記録装置４に記録したりすることができるので、同一グループに属する情報送信装置１からのセンサ検出情報で示される値の平均値を情報処理装置３などで計算する場合に、複数のセンサ検出情報を同じ情報記録装置４から読み出せる。よって、システム全体の処理効率が向上する。
【００４６】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００４７】
【図１】本発明の実施形態にしたがった情報処理システムの構成例を示すブロック図。
【図２】本発明の実施形態にしたがった情報処理システムの情報送信装置の構成例を示すブロック図。
【図３】本発明の実施形態にしたがった情報処理システムの負荷分散装置の構成例を示すブロック図。
【図４】本発明の実施形態にしたがった情報処理システムの負荷分散装置の記憶装置に記憶されるグループ情報テーブルの構成例を表形式で示す図。
【図５】本発明の実施形態にしたがった情報処理システムの負荷分散装置の記憶装置に記憶される処理情報テーブルの構成例を表形式で示す図。
【図６】本発明の実施形態にしたがった情報処理システムの情報処理装置の構成例を示すブロック図。
【図７】本発明の実施形態にしたがった情報処理システムの情報処理装置の記憶装置に記憶される記録情報テーブルの構成例を表形式で示す図。
【図８】本発明の実施形態にしたがった情報処理システムの処理動作の一例を示すフローチャート。
【符号の説明】
【００４８】
１…情報送信装置、２…負荷分散装置、３…情報処理装置、４…情報記録装置、１１，２１，３１…制御部、１２，２２，３２…記憶装置、１３，２３，３３…通信インタフェース、１４…検出処理部、１５，２６，３７…バス、２４,３６…処理状態判別部、２５，３５…選択処理部、３４…負荷状態判別部。
【図１】
0004585554.tif 000002
【図２】
0004585554.tif 000003
【図３】
0004585554.tif 000004
【図４】
0004585554.tif 000005
【図５】
0004585554.tif 000006
【図６】
0004585554.tif 000007
【図７】
0004585554.tif 000008
【図８】
0004585554.tif 000009